(57)【要約】      （修正有）【課題】使用後にそのまま食べることができることにより、ごみが出ず、環境に優しいマドラーを提供する。【解決手段】マドラーは可食材料で作られた棒状の柄部１０とその一端に設けられた攪拌部２０からなる。マドラーは、可食材料の原料を練り込んだ生地を成型および焼成することにより形成する。原料は、小麦粉、米粉、片栗粉およびチョコレートからなる群より選ばれた少なくとも一種類以上を含み、通常はさらに水や牛乳等の液体を含む。マドラーは、一端に攪拌部を形成した棒状の乾麺または乾燥じゃがいもを焼成することにより形成することもできる。【選択図】図１
0003195310.tif 000002
【実用新案登録請求の範囲】
【請求項１】
可食材料からなることを特徴とするマドラー。
【請求項２】
上記マドラーは上記可食材料の原料を練り込んだ生地を成型および焼成したものであることを特徴とする請求項１記載のマドラー。
【請求項３】
上記原料は小麦粉、米粉、片栗粉およびチョコレートからなる群より選ばれた少なくとも一種類以上を含むことを特徴とする請求項１記載のマドラー。
【請求項４】
上記マドラーは一端に攪拌部を形成した棒状の乾麺または乾燥じゃがいもを焼成したものであることを特徴とする請求項１記載のマドラー。
【請求項５】
上記乾麺はうどん乾麺、パスタ乾麺またはそば乾麺であることを特徴とする請求項４記載のマドラー。
【請求項６】
上記マドラーの表面がチョコレート、練乳および砂糖からなる群より選ばれた少なくとも一種類以上を含む材料でコーティングされていることを特徴とする請求項１〜５のいずれか一項記載のマドラー。
【考案の詳細な説明】
【技術分野】
【０００１】
この考案はマドラーに関し、特に、使用後に食べることができるマドラーに関する。
【背景技術】
【０００２】
例えばハンバーガーショップ等のファーストフード店においてホットコーヒーを注文する際に砂糖やミルクも希望すると、紙コップに入れられたホットコーヒーとともに、ホットコーヒーをかき混ぜるのに用いるプラスチック製のマドラーも提供される。そして、購入者は、紙コップに入れられたホットコーヒーに砂糖やミルクを入れ、マドラーでかき混ぜてからホットコーヒーを飲む。
【０００３】
ホットコーヒーをかき混ぜるのに使用したマドラーは、最終的には、店内に設置されたプラスチックごみの廃棄ボックスに捨てられる。廃棄ボックスに捨てられたプラスチックごみは回収業者により回収されるが、マドラーは、プラスチックの使用量が少なく、リサイクルの効率が悪いため、リサイクルには回されず、ごみ焼却炉で焼却される。
【０００４】
なお、澱粉及び調味料等を練り込んだ粉末生地を高圧で成型・焼成することで、トレイ本体を、ソース味付けする食べ物の収容凹所を形成する収容壁と、収容壁に一体形成される複数の支承部と、各支承部間に形成される複数の液溜凹部とを含んで構成し、食べ物を収容凹所内に収容し、液溜凹部に跨がって複数の支承部上に載置する食用トレイが提案されている（特許文献１参照。）。また、可食コーンカップの生地、既存のクッキー（瓦せんべい等も含む）や米菓（おかきやせんべい等）、飴、コーンチップなどをスプーン型、フォーク型、コテ型等に成形することが提案されている（特許文献２参照。）。さらに、トウモロコシ、全粒粉、ベーキングパウダー、砂糖、塩、卵、脱脂乳等を含む材料で作った食べられるスプーンが販売されている（非特許文献１参照。）。
【先行技術文献】
【特許文献】
【０００５】
【特許文献１】実用新案登録第３１７８４４６号明細書
【特許文献２】実用新案登録第３１７２１３９号明細書
【非特許文献】
【０００６】
【非特許文献１】［平成２６年９月２９日検索］、インターネット〈ＵＲＬ：http://buzzap.jp/news/20130426-edible-spoon/）
【考案の概要】
【考案が解決しようとする課題】
【０００７】
上述したように、従来のプラスチック製のマドラーは、使用後にはごみとして廃棄されていた。すなわち、使い捨てされているのが現状である。
【０００８】
そこで、この考案が解決しようとする課題は、使用後にそのまま食べることができることにより、ごみが出ず、環境に優しいマドラーを提供することである。
【課題を解決するための手段】
【０００９】
上記課題を解決するために、この考案は、
可食材料からなることを特徴とするマドラーである。
【００１０】
マドラーは、例えば、可食材料の原料を練り込んだ生地を成型および焼成することにより形成することができる。原料は、例えば、小麦粉、米粉、片栗粉（じゃがいも澱粉による代用品を含む）およびチョコレートからなる群より選ばれた少なくとも一種類以上を含み、通常はさらに水や牛乳等の液体を含む。
【００１１】
マドラーは、一端に攪拌部を形成した棒状の乾麺または乾燥じゃがいもを焼成することにより形成することもできる。
【００１２】
マドラーの表面は、必要に応じて、チョコレート、練乳および砂糖からなる群より選ばれた少なくとも一種類以上を含む材料でコーティングされることもあり、マドラーを使用する飲み物の種類に応じてコーティング材料の組成が選ばれる。
【考案の効果】
【００１３】
この考案によれば、可食材料からなるため使用後にそのまま食べることができることにより、ごみが出ず、環境に優しいマドラーを提供することができる。
【図面の簡単な説明】
【００１４】
【図１】第１の実施の形態によるマドラーを示す正面図、側面図および横断面図である。
【図２】第２の実施の形態によるマドラーを示す正面図、側面図および横断面図である。
【図３】第３の実施の形態によるマドラーを示す正面図、側面図および横断面図である。
【図４】第４の実施の形態によるマドラーを示す正面図、側面図および横断面図である。
【図５】第５の実施の形態によるマドラーを示す正面図、側面図および横断面図である。
【考案を実施するための形態】
【００１５】
以下、考案を実施するための形態（以下「実施の形態」とする）について説明する。
【００１６】
〈第１の実施の形態〉
［マドラー］
図１Ａ、ＢおよびＣは、第１の実施の形態によるマドラーを示す。ここで、図１Ａは正面図、図１Ｂは側面図、図１Ｃは図１ＡのＣ−Ｃ線に沿っての断面図である。
【００１７】
図１Ａ、ＢおよびＣに示すように、このマドラーは、棒状の柄部１０とその一端に設けられた、柄部１０より幅広の長方形状の攪拌部２０とからなる。柄部１０の横断面形状は長方形である。攪拌部２０の横断面形状も長方形であるが、柄部１０の横断面形状に比べて偏平になっている。
【００１８】
柄部１０および攪拌部２０は、可食材料の原料を練り込んだ生地を成型および焼成したものである。可食材料の原料は、小麦粉、米粉、片栗粉およびチョコレートからなる群より選ばれた少なくとも一種類以上を含み、通常はさらに水や牛乳等の液体成分を含む。小麦粉には、例えば、強力粉、薄力粉等が含まれる。米粉には、例えば、上新粉、白玉粉等が含まれる。可食材料の原料には、必要に応じて、他の成分、例えば香り成分を含ませてもよい。香り成分としては、例えば、シナモン、チョコレート、ミント、オレンジピューレ等が挙げられるが、これに限定されるものではない。これらの香り成分を可食材料の原料に含ませることにより、シナモン、チョコレート、ミント、オレンジピューレ等の風味を楽しむことができるマドラーを実現することができる。さらに、可食材料の原料には、必要に応じて、自然健康食品、例えば粉末状のまこもを含ませてもよい。
【００１９】
マドラーおよび各部の大きさは必要に応じて決められるが、例えば、全長は６０ｍｍ以上１２０ｍｍ以下、柄部１０の長さは５７ｍｍ以上１１７ｍｍ以下、攪拌部２０の長さは３ｍｍ以上１５ｍｍ以下、柄部１０の横断面の長方形の長辺は１ｍｍ以上４ｍｍ以下、短辺は０．５ｍｍ以上３ｍｍ以下、攪拌部２０の横断面の長方形の長辺は２ｍｍ以上６ｍｍ以下、短辺は０．５ｍｍ以上３ｍｍ以下である。
【００２０】
［マドラーの製造方法］
このマドラーは、次のようにして製造することができる。すなわち、小麦粉、米粉、片栗粉およびチョコレートからなる群より選ばれた少なくとも一種類以上の粉に水や牛乳等を加えて練り込み、生地を作る。次に、この生地を加熱されたプレート上に載せ、プレスによりマドラーの形状に成型すると同時に焼成する。プレートの加熱温度ならびにプレスの圧力および時間は生地の種類に応じて適宜選ばれる。
【００２１】
［実施例１］
小麦粉８０ｇ、砂糖６０ｇおよび卵一個を混合して十分に練り込み、生地を作った。この生地を加熱されたプレート上に載せて厚さを２ｍｍ程度とし、上からマドラーの形状の金型を用いて１分間プレスすることにより成型および焼成を行った。こうして、マドラーを製造した。このマドラーは一般的な瓦せんべいと同様な質感を呈した。
【００２２】
こうして製造したマドラーを用いて、ミルクを注いだホットコーヒーをかき混ぜたところ、十分にかき混ぜることができた。かき混ぜた後、ホットコーヒーを飲みながらマドラーを食べたところ、少し甘味のあるスティック菓子を食べている食感であった。
【００２３】
以上のように、この第１の実施の形態によれば、マドラーが可食材料からなるため、使用後にそのまま食べることができる。すなわち、ごみが出ず、環境に優しいマドラーを実現することができる。
【００２４】
〈第２の実施の形態〉
［マドラー］
図２Ａ、ＢおよびＣは、第２の実施の形態によるマドラーを示す。ここで、図２Ａは正面図、図２Ｂは側面図、図２Ｃは図２ＡのＣ−Ｃ線に沿っての断面図である。
【００２５】
図２Ａ、ＢおよびＣに示すように、このマドラーは、棒状の柄部１０とその一端に設けられた、柄部１０より幅広の長方形状の攪拌部２０とからなる。柄部１０の横断面形状は円形である。攪拌部２０の横断面形状は偏平な長方形である。
【００２６】
柄部１０および攪拌部２０は、一端に攪拌部を形成した棒状の乾麺または乾燥じゃがいもを焼成したものである。乾麺には、例えば、うどん乾麺、パスタ乾麺、そば乾麺等が含まれる。
【００２７】
マドラーおよび各部の大きさは必要に応じて決められるが、例えば、全長は６０ｍｍ以上１２０ｍｍ以下、柄部１０の長さは５７ｍｍ以上１１７ｍｍ以下、攪拌部２０の長さは３ｍｍ以上１５ｍｍ以下、柄部１０の横断面の直径は０．５ｍｍ以上４ｍｍ以下、攪拌部２０の横断面の長方形の長辺は２ｍｍ以上６ｍｍ以下、短辺は０．５ｍｍ以上３ｍｍ以下である。
【００２８】
［マドラーの製造方法］
このマドラーは、次のようにして製造することができる。すなわち、焼成による収縮分を考慮した長さの棒状のうどん乾麺、パスタ乾麺、そば乾麺、乾燥じゃがいも等を用意する。この棒状体の一端には、焼成後に攪拌部２０となる広がり部を製麺の過程で形成しておく。この広がり部以外の部分の棒状体が柄部１０となる。次に、この棒状体をオーブン等に入れて焼成する。焼成温度および焼成時間は、マドラーの製造に用いる乾麺等の材料の種類に応じて適宜選ばれる。
【００２９】
［実施例２］
攪拌部に対応する広がり部を一端に有する長さ約９ｃｍ、直径約１．５ｍｍの横断面形状を有する棒状のパスタ乾麺を用意し、オーブンで焼成を行った。こうして、マドラーを製造した。
【００３０】
こうして製造したマドラーを用いて、ミルクを注いだホットコーヒーをかき混ぜたところ、十分にかき混ぜることができた。かき混ぜた後、ホットコーヒーを飲みながらマドラーを食べたところ、薄い塩味のあるスティック菓子を食べている食感であった。
【００３１】
この第２の実施の形態によれば、第１の実施の形態と同様な利点を得ることができる。
【００３２】
〈第３の実施の形態〉
［マドラー］
図３Ａ、ＢおよびＣは、第３の実施の形態によるマドラーを示す。ここで、図３Ａは正面図、図３Ｂは側面図、図３Ｃは図３ＡのＣ−Ｃ線に沿っての断面図である。
【００３３】
図３Ａ、ＢおよびＣに示すように、このマドラーは、第１の実施の形態によるマドラーの表面全体にコーティング３０を施したものである。コーティング３０は、チョコレート、練乳および砂糖からなる群より選ばれた少なくとも一種類以上を含む材料からなる。このコーティング材料の組成は、マドラーを使用する飲み物の種類に応じて選ばれる。必要に応じて、このコーティング材料に他の成分、例えば既に述べた香り成分を含ませてもよい。コーティング３０の厚さは必要に応じて決められるが、例えば０．１ｍｍ以上１ｍｍ以下である。このマドラーのその他のことは第１の実施の形態と同様である。
【００３４】
［マドラーの製造方法］
このマドラーは、次のようにして製造することができる。すなわち、第１の実施の形態と同様にマドラーを製造した後、このマドラーを溶けたコーティング材料に浸漬し、引き上げた後、乾燥させる。
【００３５】
［実施例３］
実施例１と同様にしてマドラーを製造した後、このマドラーを溶けたチョコレートに浸漬し、引き上げた後、乾燥させた。こうして、マドラーを製造した。このマドラーは、チョコレートでコーティングされたスティック菓子と同様な質感を呈した。
【００３６】
こうして製造したマドラーを用いて、ミルクを注いだホットコーヒーをかき混ぜたところ、十分にかき混ぜることができた。かき混ぜた後、ホットコーヒーを飲みながらマドラーを食べたところ、チョコレートコーティングされたスティック菓子を食べている食感であった。
【００３７】
この第３の実施の形態によれば、第１の実施の形態と同様な利点を得ることができる。
【００３８】
〈第４の実施の形態〉
［マドラー］
図４Ａ、ＢおよびＣは、第４の実施の形態によるマドラーを示す。ここで、図４Ａは正面図、図４Ｂは側面図、図４Ｃは図４ＡのＣ−Ｃ線に沿っての断面図である。
【００３９】
図４Ａ、ＢおよびＣに示すように、このマドラーは、第２の実施の形態によるマドラーの表面全体にコーティング３０を施したものである。コーティング３０は、チョコレート、練乳および砂糖からなる群より選ばれた少なくとも一種類以上を含む材料からなる。このコーティング材料の組成は、マドラーを使用する飲み物の種類に応じて選ばれる。コーティング３０の厚さは必要に応じて決められるが、例えば０．１ｍｍ以上１ｍｍ以下である。このマドラーのその他のことは第２の実施の形態と同様である。
【００４０】
［マドラーの製造方法］
このマドラーは、次のようにして製造することができる。すなわち、第２の実施の形態と同様にマドラーを製造した後、このマドラーを溶けたコーティング材料に浸漬し、引き上げた後、乾燥させる。
【００４１】
［実施例４］
実施例２と同様にしてマドラーを製造した後、このマドラーを溶けたチョコレートに浸漬し、引き上げた後、乾燥させた。こうして、マドラーを製造した。このマドラーは、チョコレートでコーティングされたスティック菓子と同様な質感を呈した。
【００４２】
こうして製造したマドラーを用いて、ミルクを注いだホットコーヒーをかき混ぜたところ、十分にかき混ぜることができた。かき混ぜた後、ホットコーヒーを飲みながらマドラーを食べたところ、チョコレートコーティングされたスティック菓子を食べている食感であった。
【００４３】
この第４の実施の形態によれば、第１の実施の形態と同様な利点を得ることができる。
【００４４】
〈第５の実施の形態〉
［マドラー］
図５Ａ、ＢおよびＣは、第５の実施の形態によるマドラーを示す。ここで、図５Ａは正面図、図５Ｂは側面図、図５Ｃは図５ＡのＣ−Ｃ線に沿っての断面図である。
【００４５】
図５Ａ、ＢおよびＣに示すように、このマドラーは、攪拌部２０の平面形状が円形であることを除いて、第１の実施の形態によるマドラーと同様な構成を有する。
【００４６】
［マドラーの製造方法］
このマドラーの製造方法は第１の実施の形態と同様である。
【００４７】
この第５の実施の形態によれば、第１の実施の形態と同様な利点を得ることができる。
【００４８】
以上、この考案の実施の形態および実施例について具体的に説明したが、この考案は上述の実施の形態および実施例に限定されるものではなく、この考案の技術的思想に基づく各種の変形が可能である。
【００４９】
例えば、上述の実施の形態および実施例において挙げた数値、構成、形状、材料、方法等はあくまでも例に過ぎず、必要に応じてこれらと異なる数値、構成、形状、材料、方法等を用いてもよい。
【００５０】
また、第２〜第４の実施の形態によるマドラーにおいて、攪拌部２０の平面形状を第５の実施の形態と同様に円形にしてもよい。
【符号の説明】
【００５１】
１０…柄部、２０…攪拌部、３０…コーティング
【図１】
0003195310.tif 000003
【図２】
0003195310.tif 000004
【図３】
0003195310.tif 000005
【図４】
0003195310.tif 000006
【図５】
0003195310.tif 000007
【手続補正書】
【提出日】平成26年11月4日(2014.11.4)
【手続補正１】
【補正対象書類名】実用新案登録請求の範囲
【補正対象項目名】全文
【補正方法】変更
【補正の内容】
【実用新案登録請求の範囲】
【請求項１】
棒状の柄部とその一端に設けられた攪拌部とからなり、上記柄部および上記攪拌部が可食材料からなることを特徴とするマドラー。
【請求項２】
上記マドラーは上記可食材料の原料を練り込んだ生地を成型および焼成したものであることを特徴とする請求項１記載のマドラー。
【請求項３】
上記原料は小麦粉、米粉、片栗粉およびチョコレートからなる群より選ばれた少なくとも一種類以上を含むことを特徴とする請求項２記載のマドラー。
【請求項４】
上記マドラーは一端に攪拌部を形成した棒状の乾麺または乾燥じゃがいもを焼成したものであることを特徴とする請求項１記載のマドラー。
【請求項５】
上記乾麺はうどん乾麺、パスタ乾麺またはそば乾麺であることを特徴とする請求項４記載のマドラー。
【請求項６】
上記マドラーの表面がチョコレート、練乳および砂糖からなる群より選ばれた少なくとも一種類以上を含む材料でコーティングされていることを特徴とする請求項１〜５のいずれか一項記載のマドラー。